(57)【要約】【課題】使用時に移行するとき速度を遅延可能な壁面収納折畳み椅子を得る。【解決手段】脚体が床面と垂直方向に立設された脚部と、使用時に前端部が脚体上端と回動自在に連結され水平方向の座板をもった座部と、脚体と回動自在に連結され座板の下方に平行して配設された連結杆とを有し、座板及び連結杆の後端部は壁面側と回動自在に連結され、収納時に座板、脚体及び連結杆を壁面側に折畳む壁面収納折畳み椅子であって、使用時に座板下面に沿うガイド溝をもったガイドと、上端部に軸部とローラよりなる移動体を挟持し下端部左右に配設された一対のダンパーの回動軸と連結する一対のアームを有する減速部材と、壁面に固着されダンパーを収納するブラケットとを備え、ガイド溝にローラの軸部を移動可能に挿着しアームによりダンパーと連結して、収納時から使用時の移行にあたり脚部の落下速度を減速可能とした壁面収納折畳み椅子。【選択図】        図１
2004160141.tif 000002
【特許請求の範囲】
【請求項１】
脚体が床面と垂直方向に立設された脚部と、使用時に前端部が前記脚体上端と回動自在に連結され水平方向の座板をもった座部と、前記脚体と回動自在に連結され前記座板の下方に平行して配設された連結杆とを有し、前記座板及び連結杆の後端部は壁面側と回動自在に連結され、収納時において前記座板、脚体及び連結杆を壁面側に折畳む壁面収納折畳み椅子であって、前記使用時に座板下面に沿うガイド溝をもったガイドと、上端部に軸部とローラよりなる移動体を挟持し下端部左右に配設された一対のダンパーの回動軸と連結する一対のアームを有する減速部材と、壁面に固着され前面側に前記ダンパーを収納するブラケットとを備え、前記ガイド溝に前記ローラの軸部を移動可能に挿着し前記アームにより前記ダンパーと連結して、前記収納時から使用時への移行にあたり前記脚部の落下速度を減速可能としたことを特徴とする壁面収納折畳み椅子。
【請求項２】
脚体の前面上部の左右中間位置に突設されるノブと、前記脚体の裏面上部に固着される箱体と、前記箱体の下端面から下方へ出入り可能な係止爪とをもった把持部を有し、座板に中抜部と該中抜部出口に小突起を設け、収納時において前記中抜部に前記箱体が入って前記小突起に前記係止爪が係合保持可能とされ、前記ノブの引張りに連動して前記係止爪が前記箱体内へ引込められ前記小突起との係合が解除されて前記収納時から使用時へ移行し脚部の落下が開始可能とされることを特徴とする請求項１に記載の壁面収納折畳み椅子。
【発明の詳細な説明】
【０００１】
【発明の属する技術分野】
本発明は、折畳時に壁面等に収納可能な折畳み椅子の改良に関する。
【０００２】
【従来の技術】
本出願人による簡易な構造で壁面等にコンパクトに収納可能で、収納時に壁面等からの突出を極力なくし、歩行や行動の邪魔にならないようにすることのできる壁面に収納自在な折畳み椅子がある（特許文献１参照。）。
【０００３】
【特許文献１】
特開平１１−３０９０３６号公報（［０００６］〜［０００９］、図１〜３の記載）
【０００４】
【発明が解決しようとする課題】
前記従来の壁面等に収納自在な折畳み椅子は、簡易な構造で壁面等にコンパクトに設置可能で椅子の収納時に壁面等からの突出を極力なくし、歩行や行動の邪魔にならないようにすることができる。しかし、折畳んだ状態から使用時に移行するときには、脚部の移動落下が急速に行われ例えば老人、身障者、子供などが頻繁に使用する場合において、足を挟むとか不安感を招くことがある。
これに対し本発明は、簡易な構造で収納時から使用時に移行するときの速度を遅延させ、危険や不安感を無くすことのできる壁面収納折畳み椅子を得ることを目的とする。
【０００５】
【課題を解決するための手段】
前記目的を得るため、請求項１の発明にあっては、脚体が床面と垂直方向に立設された脚部と、使用時に前端部が前記脚体上端と回動自在に連結され水平方向の座板をもった座部と、前記脚体と回動自在に連結され前記座板の下方に平行して配設された連結杆とを有し、前記座板及び連結杆の後端部は壁面側と回動自在に連結され、収納時において前記座板、脚体及び連結杆を壁面側に折畳む壁面収納折畳み椅子であって、前記使用時に座板下面に沿うガイド溝をもったガイドと、上端部に軸部とローラよりなる移動体を挟持し下端部左右に配設された一対のダンパーの回動軸と連結する一対のアームを有する減速部材と、壁面に固着され前面側に前記ダンパーを収納するブラケットとを備え、前記ガイド溝に前記ローラの軸部を移動可能に挿着し前記アームにより前記ダンパーと連結して、前記収納時から使用時への移行にあたり前記脚部の落下速度を減速可能とした壁面収納折畳み椅子により解決した。
請求項２の発明にあっては、脚体の前面上部の左右中間位置に突設されるノブと、前記脚体の裏面上部に固着される箱体と、前記箱体の下端面から下方へ出入り可能な係止爪とをもった把持部を有し、座板に中抜部と該中抜部出口に小突起を設け、収納時において前記中抜部に前記箱体が入れられて前記小突起に係止爪が係合保持可能とされ、前記ノブの引張りに連動して前記係止爪が前記箱体内へ引込められ前記小突起との係合が解除され、前記収納時から使用時へ移行し脚部の落下が開始可能とされる請求項１に記載の壁面収納折畳み椅子とするのが好ましい。
【０００６】
【発明の実施の形態】
本発明の実施の形態を図面に基づき説明する。
図１は、本発明の折畳み椅子の一例の側面図である。
図２は、図１の壁面収納折畳み椅子の一部縦断の概略側面図である。
図３は、図２の壁面収納折畳み椅子の一部のＰ・Ｐ方向視の概略正面図である。
図４は、図１の壁面収納折畳み椅子のアーム及びダンパー回りの概略斜視図である。
図５は、図１の壁面収納折畳み椅子の使用時及び収納時の移動状態を示す側面視の概略説明図である。
以下の説明において、壁面に向かっての手前側を前、壁側を後とし、前から後に向かって左右として説明する。又壁面収納折畳み椅子の椅子として使用する時を単に使用時とし、壁面側に折畳んで収納する時を単に収納時とし、各構成要素は通常に使用されている状態において説明する。
【０００７】
図１において、本発明の一例の壁面収納折畳み椅子１は、脚部２、座部３、減速部材４、ブラケット５及び把手部６を有している。把手部６は必須構成要素ではなく、望ましい構成である。ここで、図１に示す壁面収納折畳み椅子１は、使用時において実線で記載した座部３が床面ＧＧに対し最も低い位置から、二点鎖線で記載した２段階の上方に上げた位置を示しているが、先ず以下においては実線で記載した位置において説明する。
先ず、壁面収納折畳み椅子１の構成を使用時の図１乃至３について説明する。脚部２は、略直方体箱状の脚体２１とその下端部にねじ部の回動により高さ可変可能なフートステップ２２とを有し、床面ＧＧ上のフートステップ２２から脚体２１が上方に直立している。脚体２１は後側が上方の厚肉部と下方の薄肉部、及び前側が全体に平坦な前板２１ａと、幅狭の左右側板２１ｂと、前板２１ａ厚肉部上端から後方へ張出す上板２１ｃと、前板２１ａ薄肉部下端から後方へ張出す下板２１ｄとで略直方体箱状に形成されている。前板２１ａ厚肉部後面には、後述する座部３の蝶番３３、３６を固着する細幅一対の垂直方向の支持板２１ｅが左右に間隔をおいて固着されている。
座部３は、図１において、上部に前寄りの左右中間に略方形体状の中抜部３１ａが形成され前端末の側面が側板２１ｂ後面に当接する表面平坦で方形状の座板３１と、座板３１の左右下面にビス等の固着具により固着される支持板２１ｅと同様の幅及び左右間隔をおいた一対の水平方向の支持板３２と、各支持板３２の前端末と支持板２１ｅ後面の上端との間に掛渡される一対の蝶番３３と、支持板３２の後端末と後述する壁面ＷＷ上部に固着されたブラケット５の表面材５２の上端前面との間に掛渡される一対の蝶番３４とを有している。更に、座部３には下部には支持板３２と同様の幅及び左右間隔をおいた一対の水平方向の連結杆３５と、各連結杆３５の前端末と支持板２１ｅ後面の下端との間に掛渡される一対の蝶番３６と、連結杆３５の後端末とブラケット５の表面材５２の下端前面との間に掛渡される一対の蝶番３７とを有している。これにより、回動する蝶番３３の軸芯Ａ、蝶番３４の軸芯Ｂ、蝶番３６の軸芯Ｃ及び蝶番３７の軸芯Ｄとすると、座板３１と脚体２１は軸芯Ａ、座板３１と表面材５２は軸芯Ｂ、脚体２１と連結杆３５は軸芯Ｃ、及び表面材５２と連結杆３５は軸芯Ｄのそれぞれの回りに回動可能で、前記特許文献１の記載と同様４個の軸芯によって平行四辺形が形成され、後述する通り使用時の座板３１の水平位置から収納時の垂直位置への移動間において平行四辺形は変形するものの維持されで移動可能とされている。
座板３１の中抜部３１ａの出口端部に小突起３８が僅かに突設され、後述する通り収納時において中抜部３１ａに把手部６の箱体６２の大部分が収納されたとき、小突起３８に係止爪６３が係合可能とされている。
壁面収納折畳み椅子１は、各軸芯が各蝶番によって形成されているがここは必ずしも蝶番に限定されず、対向する各部材が各軸芯回りに回動自在に連結される他の構成例えば軸と軸受けを組み合わせた構成とすることとしてもよい。
【０００８】
減速部材４は、図１乃至４において、アーム４１、ダンパー４２、ローラ４３及びガイド４４を有している。
アーム４１は図４に示す通り、一対の細幅の基板４１ａと、該基板４１ａの下端部に軸芯方向より湾曲した位置に略長円形の軸孔４１ｄが穿設された略円弧状の軸嵌合部４１ｂが設けられ、該基板４１ａの上端部に円形の軸孔４１ｃ及び下寄り中部に円形のステー孔４１ｄが穿設され、ステー孔４１ｅにステー４１ｆが螺合される。
ダンパー４２は一対で、中部にロータリーダンパー４２ａ、一端に回動軸４２ｂ及び他端に固定端部４２ｃを有し、回動軸４２ｂは軸芯Ｆ回りに回動し所定角度内において負荷トルクをロータリーダンパー４２ａに与えることにより減速可能とし、回動軸４２ｂは断面略長円形で軸孔４１ｄに嵌着し連結可能とされ、固定端部４２ｃは断面略長円形で後述するブラケット５の収納部５３の異形溝５３ｃに挿着可能とされている。ロータリーダンパー４２ａは、例えば「トックベアリング株式会社製ＴＤ５  ＳＥＲＩＥＳ」のオイルダンパー等が用いられる。
移動体４３は、一個の通常硬質プラスチック製のローラ４３ａと軸部４３ｂよりなり、組立て時においては一対のアーム４１の基板４１ａ間に配設され、軸部４３ｂの軸芯はＥとされている。ローラ４３ａは軸部４３ｂに対し遊嵌され回動可能で、一対のアーム４１の基板４１ａに対し下方のステー４１ｆと共にスペーサとされる。
ガイド４４は、中部長手方向に側面視において略長円形のガイド溝４４ｂが穿設された細幅板状の基板４４ａと、該基板４４ａと直交する取付け板４４ｃとよりなり、座板３１の平坦な下面の中間部で支持板３２と重ならない位置に取付け板４４ｃに穿設された固着孔に例えばビス等の固着具４４ｄを挿通して固着される。ガイド溝４４ｂの幅は移動体４３の軸部４３ｂの直径より僅かに大きくとられ、後述する通り、軸部４３ｂはガイド溝４４ｂに沿って前後に移動可能である。アーム４１は上方が軸部４３ｂの軸芯Ｅが前後移動可能で、下方が回動軸４２ｂの軸芯Ｆを中心として回動可能とされている。
【０００９】
ブラケット５は、壁面ＷＷに沿って上下に固着され内部空洞を有し左右側壁に図示省略するが調整ねじ孔が上下に複数個設けられている箱体状の固定部５６と、固定部５６の下側に下方より嵌着され左右側壁に前記調整ねじ孔と合わせ設けられたねじ孔に左右側面より一対のビス等の固着具５７を螺合させて固定部５６に固着可能とした箱体状の高さ調整部５１と、高さ調整部５１前面及び上方へ垂直方向に突出する板状の表面材５２と、表面材５２の上方左右中部位置に穿設された左右長手略方形状の開口部５２ａに嵌着される収納部５３と、収納部５３に一対のダンパー４２を左右対称位置に収納して前面に当接せしめる略長方形状の押え板５４と、押え板５４の左右上下に設けられたねじ孔に螺合する止めねじ等の固着具５５とを有している。ここで収納部５３は、前面が開口する左右長手の略長方体状の箱体５３ａと、箱体５３ａの左右端部の上下に張出している押え板５４が前方より過不足なく当接可能な大きさでねじ孔が設けられた固着片５３ｂと、箱体５３ａの左右端末には固定端部４２ｃが挿着可能な異形溝５３ｃとを有している。
把手部６は、脚体２１の前板２１ａ前面上部の左右中間位置に突設される通常前方視略円形のノブ６１と、前板２１ａの上部厚肉部の下端部で蝶番３６の僅かに上方の左右中間位置に固着される略方形体状の箱体６２と、箱体６２の下端面から下方へ出入り可能な係止爪６３とを有し、手を掛けないときはノブ６１の後端が前板２１ａ前面に当接し係止爪６３が下方へ突出し、ノブ６１に手を掛け前板２１ａ前面から引出したときに係止爪６３が箱体６２内に引込んだ状態になるようにノブ６１と係止爪６３とが図示しないばねにより連動するように構成されている。前記した通り、収納時において座板３１の中抜部３１ａに箱体６２の大部分が収納され、小突起３８に係止爪６３が係合される。
【００１０】
次に、壁面収納折畳み椅子１の組立てについて説明する。
座板３１の下面に左右平行で前後方向長手において固着具により一対の支持板３２を固着し、支持板３２の前端末に蝶番３３及び後端末に蝶番３４の各羽根の一方を固着し、ガイド４４の取付け板４４ｃを固着具４４ｄにより座板３１の下面中部の支持板３２と重ならない位置の前後方向に固着し、基板４４ａが座板３１の下面垂直方向に突出しガイド溝４４ｂの長手方向が座板３１の下面に沿うようにしておく。
壁面収納折畳み椅子１として使用する座板３１の床面ＧＧからの高さに対応する位置の壁面ＷＷに沿って上部にブラケット５の固定部５６を固着し、固定部５６下側より高さ調整部５１を嵌着し左右側壁のねじ孔と固定部５６の調整ねじ孔を合わせ、左右側面より固着具５７を螺合させて高さ調整部５１を固定部５６に固着し、高さ調整部５１から上方垂直方向に表面材５２を突出させ、表面材５２上部おかれた開口部５２ａに収納部５３を嵌着しておく。
脚部２には下端部にフートステップ２２及び前板２１ａ厚肉部後面に支持板２１ｅを固着し、前板２１ａ前面上部にノブ６１を突設し、前板２１ａ厚肉部の下端部に箱体６２を固着しておく。
次に、蝶番３３の他方の羽根を支持板２１ｅに固着し、蝶番３４の他方の羽根を表面材５２前面上端に固着する。
減速部材４のアーム４１を左右平行に並べその間に移動体４３のローラ４３ａをおき両アーム４１外側に軸部４３ｂを突出させ、左右の軸孔４１ｄに一対のダンパー４２の回動軸４２ｂを互いに向合わせて挿通し、左右の固定端部４２ｃを収納部５３の左右の異形溝５３ｃに挿着するようにし、ダンパー４２を収納した箱体５３ａの固着片５３ｂに押え板５４を重合わせ各ねじ孔に前側より固着具５５を螺合させて高さ調整部５１前面の表面材５２に固着する。ここでローラ４３ａの一方端（図３の例では、右側）とアーム４１との間にガイド溝４４ｂを介在させ、この状態でアーム４１から突出する軸部４３ｂの外側にナット等を螺合し抜止めとする。これにより、移動体４３は軸部４３ｂがガイド溝４４ｂ案内されて前後に移動可能で、各アーム４１はダンパー４２の回動軸４２ｂの軸芯Ｆ回りに回動可能となる。
最後に、支持板３２の下方に左右平行で前後方向長手の一対の水平方向の連結杆３５の前端末に蝶番３６及び後端末に蝶番３７の各羽根の一方を固着し、蝶番３６の他方の羽根を支持板２１ｅの後面下端に固着し、蝶番３７の他方の羽根を表面材５２の前面下端に固着する。
これにより、蝶番３３により座板３１と脚体２１は軸芯Ａ、蝶番３４により座板３１と表面材５２は軸芯Ｂ、蝶番３６により脚体２１と連結杆３５は軸芯Ｃ、及び蝶番３７により表面材５２と連結杆３５は軸芯Ｄのそれぞれ回りに回動可能となる。
次に、図１に示す壁面収納折畳み椅子１において実線で記載した座部３が床面ＧＧに対し最も低い位置から、二点鎖線で記載した２段階上方に上げた位置に調整する場合には、ブラケット５の固定部５６の下側に下方より嵌着される高さ調整部５１の床面ＧＧよりのレベルを上方に上げ、固定部５６左右側壁の上方位置に設けられている調整ねじ孔に合わせて高さ調整部５１の左右側面ねじ孔より固着具５７を螺合させて高さ調整部５１を固定部５６に固着することにより得られる。更に、脚体２１下端部のフートステップ２２のねじ部を回動して床面ＧＧからの高さを調整する。
【００１１】
次に、本発明の作動を図５について説明する。
図５は、壁面収納折畳み椅子１の使用時状態から収納時状態に至る動作を理解し易いように細部は省略し模式的に示しており、椅子としての使用時の状態は実線で示し、折畳んで使用しない壁面ＷＷ側に収納時の状態は二点鎖線で示してある。
イ）使用時
実線で示す通り、長手水平方向に置かれた座部３の座板３１及び支持板３２前端部と脚部２の脚体２１を互いに回動可能とする蝶番３３の軸芯Ａと、座板３１及び支持板３２後端部と表面材５２を互いに回動可能とする蝶番３４の軸芯Ｂと、連結杆３５前端部と脚体２１を互いに回動可能とする蝶番３６の軸芯Ｃと、連結杆３５後端部と表面材５２を互いに回動可能とする蝶番３７の軸芯Ｄとは、Ａ→Ｂ→Ｄ→Ｃ→Ａを結ぶ平行四辺形によって４節リンク機構が形成されている。このとき、脚体２１は床面ＧＧに対し垂直方向におかれ、長手水平方向に置かれた座板３１は安定して使用可能である。ローラ４３の軸部４３ｂはガイド溝４４ｂの最も前側位置（図１、２、５において右端位置）におかれている。
ロ）中間時
次に図示しないが、座板３１、支持板３２及び連結杆３５を矢印Ｘ方向へ回動すると軸芯Ａは軸芯Ａ′方向へ、軸芯Ｃは軸芯Ｃ′方向へ円弧状の軌跡に沿って移動し、固定された軸芯Ｂ、Ｄとで変形された平行四辺形による４節リンク機構が維持される。脚体２１は床面ＧＧに対し垂直方向に保持されて上昇を続ける。このとき、ローラ４３ｂの軸芯Ｅと回動軸４２ｂの軸芯Ｆとがアーム４１を介して連動し、アーム４１下端部は軸孔４１ｄにダンパー４２の回動軸４２ｂが挿着され軸芯Ｆ回りにＸ方向に回動し、アーム４１上端部は軸孔４１ｃから突出する軸部４３ｂの軸芯Ｅがガイド溝４４ｂ案内されて矢印Ｙ方向に移動する。
ハ）収納時
更に座板３１、支持板３２及び連結杆３５を矢印Ｘ方向へ回動し図５に二点鎖線で示す収納時に達すると、軸芯Ａは軸芯Ａ′に、軸芯Ｃは軸芯Ｃ′に達し、固定された軸芯Ｂ、Ｄとで殆ど折畳まれてはいるが平行四辺形による４節リンク機構が維持されている。このとき、図が輻輳するので省略してあるが、ローラ４３ｂの軸芯Ｅと回動軸４２ｂの軸芯Ｆとがアーム４１を介して連動し、減速部材４のアーム４１は軸芯Ｆ回りにＸ方向に最も後側まで回動し、アーム４１上端部の軸芯Ｅは矢印Ｙ方向にガイド溝４４ｂの最も後側位置（図１、２、５において左端の壁面ＷＷに接近した位置）に達する。そしてこのとき、中抜部３１ａに箱体６２の大部分が収納され小突起３８に係止爪６３が係合され壁面収納折畳み椅子１の収納時状態が保持される。
ニ）収納時から使用時への復元
逆に、壁面収納折畳み椅子１を収納時状態から使用時状態に戻すには、ノブ６１に手を掛け前板２１ａ前面から引出し係止爪６３を箱体６２内に引込ませると小突起３８と係止爪６３の係合が解除して脚部２が下方へ落下開始し、座板３１、支持板３２及び連結杆３５は矢印Ｘと反対方向に回動開始し、前記ハ）→ロ）→イ）の順で移動し、アーム４１上端部の軸芯Ｅは矢印Ｙの反対方向にガイド溝４４ｂに案内されて移動し、前記イ）使用時の状態に復元する。
このときアーム４１は軸芯Ｆ回りに矢印Ｘの反対方向に回動開始するが、回動軸４２ｂがロータリーダンパー４２ａのダンピング作用によって所定角度内において減速されるので、脚部２の落下を遅延させることができ、使用者の足を挟むとか不安感を無くすことができる。
又積極的に把手部６のノブ６１に手を掛け引出し係止爪６３と小突起３８の係合を解除するという構成によって、誤って収納時の壁面収納折畳み椅子１に凭れかかっても座板３１及び脚部２が直ちに落下開始することがなく誤動作を防ぐことができる。
【００１２】
【発明の効果】
本発明の壁面収納折畳み椅子によれば、簡易な構造で収納時から使用時に移行するときの速度を遅延させ、危険や不安感を無くすことができる。
又、把手部のノブと連動する係止爪及び小突起の係合する構成によって、座板及び脚部が直ちに落下開始する誤動作を防ぐことができる。
【図面の簡単な説明】
【図１】本発明の壁面収納折畳み椅子の一例の側面図である。
【図２】図１の壁面収納折畳み椅子の一部縦断の概略側面図である。
【図３】図２の壁面収納折畳み椅子の一部のＰ・Ｐ方向視の概略正面図である。
【図４】図１の壁面収納折畳み椅子のアーム及びダンパー回りの概略斜視図である。
【図５】図１の壁面収納折畳み椅子の使用時及び収納時の移動状態を示す側面視の概略説明図である。
【符号の説明】
１  壁面収納折畳み椅子
２  脚部
２１  脚体
２１ｅ、３２  支持板
２２  フートステップ
３  座部
３１  座板
３３、３４、３６、３７  蝶番
３５  連結杆
３８  小突起
４  減速部材
４１  アーム
４１ａ、４４ａ  基板
４２  ダンパー
４２ａ  ロータリーダンパー
４３  移動体
４３ａ  ローラ
４３ｂ  軸部
４４  ガイド
４４ｂ  ガイド溝
５  ブラケット
５１  高さ調整部
５２  表面材
５３ａ、６２  箱体
６  把持部
６１  ノブ
６３  係止爪
Ａ、Ｂ、Ｃ、Ｄ、Ｅ、Ｆ、Ａ′、Ｃ′、Ｅ′  軸芯
ＧＧ  床面
ＷＷ  壁面
【図１】
2004160141.tif 000003
【図２】
2004160141.tif 000004
【図３】
2004160141.tif 000005
【図４】
2004160141.tif 000006
【図５】
2004160141.tif 000007